(57)【要約】【課題】従来の折り畳みタイプをより発展させて、各種表示を見たりこれに対応した操作をする際に上下のユニットを開く必要がなく、また多量の文章でも読みやすく表示でき各種画像も見やすく改善し、新規な構造で従来に比して使い勝手をより向上させた折り畳み式の携帯情報端末を提供することを目的とする。【解決手段】本発明は、第１のユニットと第２のユニットとがヒンジ部を介して開閉および回転可能に構成された折り畳み型携帯端末において、前記ヒンジ部は、  前記第１のユニットの操作面に対してほぼ垂直な第１の軸部材と、前記第１の軸部材と連結し前記第１の軸に対して垂直な方向に形成された第２の軸部材と、前記第２の軸部材に対し前記第２のユニットの開閉方向に回転可能に接続されたヒンジユニットと、を含み、前記第２のユニットの開閉に伴って前記ヒンジユニットが回転する。【選択図】      図３
2004293633.tif 000002
【特許請求の範囲】
【請求項１】
第１のユニットと第２のユニットとがヒンジ部を介して開閉および回転可能に構成された折り畳み型携帯端末において、
前記ヒンジ部は、
前記第１のユニットの操作面に対してほぼ垂直な第１の軸部材と、
前記第１の軸部材と連結し前記第１の軸に対して垂直な方向に形成された第２の軸部材と、
前記第２の軸部材に対し前記第２のユニットの開閉方向に回転可能に接続されたヒンジユニットと、
を含み、
前記第２のユニットの開閉に伴って前記ヒンジユニットが回転することを特徴とする折り畳み型携帯端末。
【請求項２】
前記ヒンジユニットには、前記第２のユニットとかみ合うための手段が形成されていることを特徴とする請求項１記載の折り畳み型携帯端末。
【請求項３】
前記第２の軸部材の他端にフレキシブル基板が配置されており、前記フレキシブル基板は巻かれていることを特徴とする請求項１または請求項２記載の折り畳み型携帯端末。
【請求項４】
前記第２のユニットの前記ヒンジ部側先端部は前記フレキシブル基板が配置された前記第２の軸部材に対して円弧状に形成されており、前記フレキシブル基板に配置された前記第２の軸部材に対して嵌合されることを特徴とする請求項３記載の折り畳み型携帯端末。
【請求項５】
前記第２の軸部材は前記第１の回転軸上に設置されており、前記第２の軸部材は前記第１の回転軸と共に水平に回転することを特徴とする請求項１記載の折り畳み型携帯端末。
【請求項６】
前記第１の回転軸の周囲にフレキシブル基板が巻かれていることを特徴とする請求項３記載の折り畳み型携帯端末。
【請求項７】
前記第２の軸部材の上には台座が設けられていることを特徴とする請求項４記載の折り畳み型携帯端末。
【請求項８】
前記台座には操作入力部が搭載されることを特徴とする請求項４記載の折り畳み型携帯端末。
【請求項９】
前記台座には音声出力部が搭載されることを特徴とする請求項４記載の折り畳み型携帯端末。
【請求項１０】
前記台座には音声入力部が搭載されることを特徴とする請求項４記載の折り畳み型携帯端末。
【発明の詳細な説明】
【０００１】
【発明の属する技術分野】
この発明は、開閉回動自在に結合された筐体構造を有する折り畳み型携帯電話機に関するものである。
【０００２】
【従来の技術】
従来より、携帯情報端末、特に携帯電話機の構造としては、ストレートタイプ、折り畳みタイプなどが用いられている。中でも、折り畳み構造タイプの携帯電話機は、コンパクトに収納できることからひろく好まれ、需要が拡大している。
【０００３】
典型的な折り畳み式の携帯電話機は、例えば図１０の斜視図に示すように操作部７０２を配設したほぼ半楕円形の下側ユニット７００と、矩形の表示部７１２を有するほぼ同形状の上側ユニット７１１とを、操作部面７０１および表示器取付面７１０を対向させて双方のユニット夫々の端部直線部を接合部材７２０で回動自在に軸支・接合することで上下両ユニットが開閉自在に係合されている。なお、一般に表示器は表示面積を大きく採るために長軸方向に充分な長さをとっている。また、操作部および表示内容の向きは、展開時に操作部を下方（手前側）に位置させた場合を標準に決められている。
【０００４】
携帯電話機は近年、単に通話のみでなくインターネット等のブラウザ、電子メール送受信端末、スケジュール管理等の機能を付加した携帯情報端末としても活用されるようになってきた。このため、その表示内容は多量の文字情報や画像等多岐にわたり、また表示器の大型化が進んでいる。
【０００５】
ところで、従来の典型的な折り畳み構造の携帯電話機においては、表示を見る、或いはなんらかの操作をする場合には必ず上下のユニットを開いた状態にする必要があり、ひんぱんに開閉を行う必要があり煩雑さを感じさせるもので、使い勝手をより向上させる余地を残している。
【０００６】
また、従来の典型的な折り畳み構造の携帯電話機においては、縦長の表示面に合わせて表示内容が表示されるため、文字表示を読む場合には横一行の表示文字数が少なく折り返しが多いため読み難い難点があった。また、横長の画像を表示する場合には小さな画像に変換するか、横スクロール操作で全体を見るようにしなくてはならず使い勝手が損なわれてしまう難点を有している。
【０００７】
その他、前述した端部直線部および接合部材を確保する結果、デザイン上も外形に端部直線部を残した限られたデザインしか採れず、意匠上の自由度が少ないとの難点があった。
【０００８】
なお、携帯電話機以外でも、上述したと同様に開閉自在に接合された２つのユニットに表示器と操作部が分けて配置された折り畳み式の機器、例えばＰＤＡ（Ｐｅｒｓｏｎａｌ  Ｄｅｇｉｔａｌ  Ａｓｉｓｔａｎｔ）  等では、一般に同様な課題を有している。
【０００９】
本発明は、上述した各課題を解決することを意図している。ここで、上述課題に個別に関係した先行提案について簡略に触れる。前述したように、折り畳み構造の携帯電話機においては、表示を見たり操作をするには上下のユニットを開かねばならず使い勝手が悪いという点に対処した、「折り畳み式携帯型電子機器」が、特開平１１−３０２２６号公報（特許文献１）に開示されている。図１１は、同公報に記載されている折り畳み式携帯電話機を示しており、（ａ）  は開いた状態の斜視図、（ｂ）  は通常折り畳み状態を示す斜視図、（ｃ）  は反転折り畳み状態を示す斜視図である。
【００１０】
同公報の発明では、折り畳み式携帯型電子機器において、表示部側筐体８０２と操作部側筐体８０４とを連結するヒンジ８０５の軸部８０５ａに、表示部側筐体８０２を表裏反転可能とするピボット８０６を直角に設けている。これにより、表示部側筐体８０２を裏返しにして表示器８０１が露呈するように折り畳むこともできる。なお、同公報は、ピボット８０６に表裏反転位置で回転を制限する回転制限機構、および回転制限状態を保持するクリック係止機構を設けた構成についても開示している。
この他、特開平１１−２１５２１８号公報（特許文献２）も同様な課題に対処した「携帯型無線通信装置」を開示している。図１２は、同公報に記載されている携帯型無線通信装置を示しており、（ａ）  は開いた状態で表示側筐体を回転した状態での斜視図、（ｂ）  はディスプレイ内側にして閉じた第１の姿勢を示す平面図、（ｃ）  はディスプレイを外側にして閉じた第２の姿勢を示す平面図である。
【００１１】
同公報の発明では、ディスプレイ９０７が設けられた第２筐体（表示部側筐体）９０６を対となる第１の筐体９０１に開閉自在に接続しかつ開いた状態で相対的に回転自在に支持する、例えばボールジョイントで構成されたヒンジ部９０５を用いることで、第２筐体９０６を裏返して閉じ得るようにした携帯型無線通信装置９１０を構成している。
【００１２】
その他、特開２００２−１５８７５８号公報（特許文献３）では、上下のユニットを開いた状態にしないで表示を見たり簡単な操作をすることができる携帯電話機等の「開閉型携帯情報端末」を提案している。同発明の開閉型携帯情報端末は、表示部を有する表示部筐体と操作部を有する操作部筐体とを、操作部面に対して表示部面が同方向を向いた状態で両筐体の端部を回転機構によって連結し回転自在に構成される。これにより閉じた状態においても表示部を見ることができ、閉じた状態で操作可能な操作用キーを表示部筐体に設けることで閉じた状態での簡単な操作が可能になっている。
【００１３】
しかし、特開平１１−２１５２１８号公報（特許文献２）ならびに特開２００２−１５８７５８号公報（特許文献３）の発明では第２の筐体（表示部筐体）が第１の筐体（操作部筐体）に対して９０度に保つことについては開示されていません。
【００１４】
前述した、文章が読みにくいという別な難点に対処した発明が、特開２００１−１５６８９３号公報（特許文献４）に開示されている。同発明では、通信機器表示システムとして液晶表示器を縦長から横長に、又はこの逆に回転できる表示ユニット部と、該表示ユニット部の回転に伴って液晶表示部の表示を縦長から横長に、またはこの逆に切り換える表示切換部とを備えるようにしている。
【００１５】
同提案では回転可能な表示ユニット部は、棒型携帯電話機では本体に取り付けられ、折り畳み型携帯電話機の場合には本体上側ユニット部に取り付けられていて、いずれも本体表面と平行な面内を回転可能に軸支されている。なお、同公報は操作性向上のために、表示ユニット部が縦長から横長に回転した後に表れる通信機器本体部分に操作ボタンを設けるようにした構成を併せて提案している。
【００１６】
しかしながら、特開２００１−１５６８９３号公報（特許文献４）記載の発明では折り畳んだ状態では表示部を見ることは不可能であり、また折り畳んでも正面に表示部がくることはありません。
【００１７】
なお、表示部が回転するものではないが、単に未使用時に折り畳んで携帯性を高める目的では、筐体を２分割して２つの偏平な筐体を重ねて偏平面方向に回転可能に接続したものが、特許第２８６７８６９号公報（特許文献５）に開示されている。また、やはり表示部は固定であるが、特開平５−２１１５４７号公報（特許文献６）に開示の携帯用電話機では、送話器を有する筐体を主筐体に対して回転可能に軸支して両者の接合面を曲線に構成することで、展開時には受話器と送話器とが通話に適切な距離・角度となるようにしている。しかしながら特許第２８６７８６９号公報（特許文献５）ならびに特開平５−２１１５４７号公報（特許文献６）には表示部についての記載がありません。
【００１８】
【特許文献１】
特開平１１−３０２２６号公報
【特許文献２】
特開平１１−２１５２１８号公報
【特許文献３】
特開２００２−１５８７５８号公報
【特許文献４】
特開２００１−１５６８９３号公報
【特許文献５】
特許第２８６７８６９号公報
【特許文献６】
特開平５−２１１５４７号公報
【００１９】
【発明が解決しようとする課題】
本発明は、従来の携帯電話機における前述した各問題点に対処すべくなされたもので、従来の折り畳みタイプをより発展させて、各種表示を見たりこれに対応した操作をする際に上下のユニットを開く必要がなく、また多量の文章でも読みやすく表示でき各種画像も見やすく改善し、新規な構造で従来に比して使い勝手をより向上させた折り畳み式の携帯情報端末を提供することを目的とする。
【００２０】
【課題を解決するための手段】
この目的を達成するために、本発明は、第１のユニットと第２のユニットとがヒンジ部を介して開閉および回転可能に構成された折り畳み型携帯端末において、前記ヒンジ部は、  前記第１のユニットの操作面に対してほぼ垂直な第１の軸部材と、前記第１の軸部材と連結し前記第１の軸に対して垂直な方向に形成された第２の軸部材と、前記第２の軸部材に対し前記第２のユニットの開閉方向に回転可能に接続されたヒンジユニットと、を含み、前記第２のユニットの開閉に伴って前記ヒンジユニットが回転することを特徴とする。
【００２１】
【発明の実施の形態】
図１〜図３は本発明の携帯情報端末としての折り畳み型携帯情報端末の一実施の形態の例を示している。本実施の形態の携帯電話機１は、図１〜３に示されるように入力キー５を有する第１のユニットである下側ユニット３と、表示部４を有する第２のユニットである上側ユニット２を開閉回転自在に接続する回転軸を２軸有するヒンジ部６で折り畳み可能に構成されている。さらにヒンジ部６の回転軸の頂点には操作入力部７が配置されている。
【００２２】
本実施の形態の例での携帯電話機１では上側ユニット２が下側ユニット３に対してヒンジ部６を介して、１８０度開くことができる。さらに、上側ユニット２が下側ユニット３に対して垂直に開いた状態からヒンジ部６を介して水平に左右１８０度に上側ユニット２を回転することができる。
【００２３】
図２は上側ユニット２が下側ユニット３に対して垂直に１８０度開いたのちに上側ユニット３を左に９０度水平に回転させた状態を示す図である。また図３は上側ユニット２が下側ユニット３に対して１８０度開いたのちに、１８０度水平に回転させた状態を示した図である。このように、表示部４のみを表に露出させることができ、さらに本実施の形態の例の携帯電話機１は表示部４を操作するための入力操作部７をヒンジ部６に備えているため、携帯電話機１を入力操作部７だけで操作できるゲームなどに利用することが可能となる。
【００２４】
本実施の形態の例の携帯電話機１のヒンジ部６およびその周辺の詳細について図４を用いて説明する。図４はヒンジ部６の内部を詳細に示した構成図である。ヒンジ部６は台基板１００、第１の軸部材である水平回転軸１０１、水平回転軸の垂直方向に左右に固定された開閉軸部材（第２の軸部材）であるブラケット１０２とブラケット１０３が設けられている。台基板１００は、ヒンジ部６の基盤部であり、下側ユニット３に固定される。水平回転軸１０１は、台基板１００の中央部あるいは下側ユニット２に回転自在に保持される。
【００２５】
ブラケット１０２とブラケット１０３の間には台座１０４が設けられている。ブラケット１０２とブラケット１０３は、水平回転軸１０１の上部に固定され、台座１０４の下で繋がっている。またブラケット１０３の開閉軸方向には上側ユニット２を開閉自在に動作させるためのヒンジユニット１０５が設けられている。さらにフレキシブル基板１０６を固定するためのフレキシブル基板固定材１１０とフレキシブル基板１０６を水平回転軸１０１に巻きつけるためのボビン１０７を備えている。
【００２６】
水平回転軸１０１は台基板１００上に上側ユニット２が下側ユニット３の入力キー５側面に対して垂直になるように配置されキー入力面に対して水平な面内において回転自在に設置されている。また、水平回転軸１０１の上部の開閉軸部材であるブラケット１０２および１０３とヒンジユニット１０５は上側ユニット２に固定され、上側ユニット２は水平回転軸１０１の回転動作により、上側ユニット２を下側ユニット３の入力キー５側面に対して水平に左右１８０度回転することができる。
【００２７】
台座１０４の上面には前述した操作入力部７を搭載するためのスペースが設けられている。操作入力部７としてはトラックボールのような入力装置やポインティングデバイスなどキーのスライド量に応じた入力装置を用いたものでもよい。なお、ポインティングデバイスについては、たとえば、特開２００１−２３６３５１号公報に詳細な説明が記載されているものが使用されるが、これに限定されるものではない。
【００２８】
台座１０４は操作入力部７のみに限らず、音声入力装置や音声出力装置などが搭載されていてもよい。また、発光素子なども搭載されていてもよい。台座１０４はその上に設置される装置に応じて長手方向に台座１０４の大きさを拡大させて、装置が設置できるスペースを確保することができる。
【００２９】
上側ユニット２の基板と下側ユニット３の基板を結ぶフレキシブル基板１０６のヒンジ部６での接続、取付方法について詳細に説明する。上側ユニット２の図示しない回路基板から延びたフレキシブル基板１０６は、弛んだ状態でブラケット１０２の上部に設けられたスロットからフレキシブル基板を垂直にした状態でブラケット内１０４に挿入する。ここで、弛んだ状態とは、好ましくは図４に示すように巻いた状態である。フレキシブル基板１０６はブラケット１０２、台座１０４を通りボビン１０７に巻かれる。台座１０４を通るフレキシブル基板１０６の一部から電路を分岐させて操作入力部７に電気的に接続される。
【００３０】
ボビン１０７は、上部にガイド１０８を有し、水平回転軸１０１の周囲に取り付けられている。ボビン１０７は水平回転軸１０１と共に回転せず、ボビン１０７は下側ユニット３あるいは台基板１００に固定されている。ボビン１０７にフレキシブル基板１０６を巻きつけることで、水平回転軸１０１のまわりにまきつけたフレキシブル基板１０６が軸方向にずれることを防ぐことができる。このようなフレキシブル基板１０６を水平回転軸１０１に巻きつける方法は、例えば、特願２００２−３５４５５４号出願明細書及びその図面に記載されている。
【００３１】
ボビン１０７の周囲に巻かれたフレキシブル基板１０６は下側ユニット３の手前で下側ユニット３の基板に接続されるように９０度に進路を曲げ、さらにフレキシブル基板固定材１１０で９０度に曲げられた部分を耐久性補強し、フレキシブル基板１０６の浮き上がりを防止する。フレキシブル基板固定材１１０で固定されたのちにフレキシブル基板１０４は下側ユニット３の図示しない回路基板と接続する。
【００３２】
図５は本発明の実施の形態の携帯情報端末のヒンジ部と上側ユニットのフロントカバーとバックカバーの関係を示す解体図である。ただし、図５においては、図面を分かりやすくするためにボビン１０７のガイド１０８が省略されている。上部ユニット２は、フロントカバー２００とバックカバー（あるいはリアカバーともいう）２０１によって構成される。
【００３３】
フロントカバー２００のヒンジ部側の先端にはヒンジ部６との結合を行うフロントカバー嵌合部２０２、２０３が互いに離れて形成されている。フロントカバー嵌合部２０２は断面がほぼ半月状の円筒になっており、内部にフレキシブル基板１０６が配置される。またフロントカバー嵌合部２０２はブラケット１０２内のブッシュに嵌るように取り付けられている。フロントカバー嵌合部２０３は、切り欠きの無い円筒になっており、内部にヒンジユニット１０５が固定される。なお、ヒンジユニット１０５は、後で説明するが、フロントカバー嵌合部２０２、２０３をブラケット１０２、１０３を挟んで隣接した状態で、後からフロントカバー嵌合部２０３の一端から挿入され固定され、さらにブラケット１０３に対しては回動可能に固定されるものである。
【００３４】
図６はブッシュ３０１とブラケット１０２が嵌合していることを示すブラケット１０２の拡大斜視図である。なお、ブッシュ３０１はヒンジユニット１０５の回転（上側ユニット２の開閉による回転）と一緒に動く上側ユニット２の回転を支えるための固定軸の役割を果たしている。フロントカバー嵌合部２０２はブッシュ３０１にすれて回転する。フロントカバー嵌合２０２の内径はブッシュ３０１より少し大きめであるため回転することが可能である。
【００３５】
ブッシュ３０１にフロントカバー嵌合部２０２が嵌合されるとヒンジ部６のフレキシブル基板１０６がブラケット１０２内のブッシュ３０１を通り、フロントカバー嵌合部２０２の円筒の中で巻かれて上側ユニット２の回路基板に接続される。
【００３６】
また図７はヒンジユニット１０５とブラケット１０３が結合された状態を示す斜視図である。ただし、図７においては、図５の台基板１０４、フレキシブル基板１０６、フロントカバー２００とバックカバー２０１は、省略されている。
【００３７】
ブラケット１０３にはフロントカバー２００のフロントカバー嵌合部２０３が隣接して配置される。フロントカバー嵌合部２０３は円筒状になっており、ヒンジユニット１０５はフロントカバー嵌合部２０３内を通り、ブラケット１０３内に予め設けられた窪みにヒンジユニット１０５のヘッド４０１を埋めて、ピン４１０をブラケット１０３の上部からヒンジユニット１０５内を貫通するように差し込み、ブラケット１０３とヒンジユニット１０５のヘッドを固定する。ブラケット１０３とヒンジユニット１０５のヘッドが固定されればこの方法である必要はない。
【００３８】
図８は図５においてフロントカバー２００とバックカバー２０１が嵌合された状態を示す斜視図である。図５および図８において、フロントカバー２００がヒンジ部６のブラケット１
０２とブラケット１０３を挟んで隣接して配置された後、ヒンジユニット１０５がフロントカバー嵌合部２０３の一端から挿入され、ピン４１０によってブラケット１０３に固定されると、バックカバー２０１がフロントカバー２００に嵌められる。バックカバー２０１のサイドカバー部２１３とカバー片２１２とフロントカバー嵌合部２０２によってフレキシブル基板１０４の動きを押さえ、またバックカバー２０１のサイドカバー２１１によってヒンジユニットの一端をカバーする。
【００３９】
本実施の形態では、開閉軸部材であるブラケット１０２，１０３の開閉軸方向片側（ブラケット１０２側）の空間に、弛んだ状態のフレキシブル基板１０６が配置され、ブラケット１０２，１０３の開閉軸方向他方側（ブラケット１０３側）に、ヒンジユニット１０５が配置される。したがって、フレキシブル基板１０６を軸の周りに巻き付ける必要がなく、かつ、ヒンジユニット１０５はフレキシブル基板１０６によって邪魔されないので、フロントカバー嵌合部２０２、２０３の径を小さくでき、ヒンジ部６の直径を小さくできる。
【００４０】
次に図９を参照してフロントカバー嵌合部２０３に挿入されているヒンジユニット１０５について説明する。図９において、（ａ）はヒンジユニット１０５の構成を示す分解図である。（ｂ）はカバー４０８の断面図である。
【００４１】
上側ユニット２が下側ユニット３に対して垂直回転（開閉自在）動作するためのヒンジユニット１０５が前述フロントカバー嵌合部２０３の円筒部に挿入される。垂直回転（開閉自在）動作ではヒンジユニット１０５のシャフト４０２が中心軸となり、上側ユニット２は下側ユニット３に対して１８０度以内に回転することができる。ヒンジユニット１０５は回転中心であるシャフト４０２とシャフトを回すためのヘッド４０１と、前記シャフト４０２に固定される固定カムＡ４０３と固定カムＡ４０３と対になる回転カムＡ４０４と、前記シャフト４０２に固定される回転カムＢ４０６と回転カムＢ４０６と対になる固定カムＢ４０７と、回転カムＡ４０４と回転カムＢ４０６をそれぞれの固定カムＡ４０３と固定カムＢ４０７に押しあてるバネ４０５と、それらを覆うカバー４０８から構成されている。
【００４２】
ヒンジユニット１０５はヒンジユニット１０５の動きがフロントカバー嵌合部２０３に直に伝わるようにカバー４０８の断面は円ではない形をしている。カバー４０８の断面はカバー４０８がフロントカバー嵌合部２０３とかみ合い、ヒンジユニット１０５の回転が上側ユニット２に伝わる形であればどのような形であってもよい。
【００４３】
ヒンジユニット１０５の動作について説明する。回転カムＡ３０４はシャフト４０２に固定されて、シャフト４０２と共に回転する。カバー４０８に固定された固定カムＡ４０３と回転カムＡが閉側（０度）の吸い込みトルクを発生させるために上側ユニットが閉められた（０度）状態になると回転カムＡ４０４と固定カムＡ４０３が嵌合しあうように設けられている。同じくカバー４０８に固定された固定カムＢ４０７と回転カムＢ４０６が開側（１８０度）の吸い込みトルクを発生させるために上側ユニットが開いた（１８０度）状態になると回転カムＢ４０６と固定カムＢ４０７が嵌合しあうように設けられている。
【００４４】
ヒンジユニットの組み立てについて説明する。ヘッド４０１にシャフト４０２の先を取り付け、シャフト４０２をカバー４０８に設けられた穴に通し、シャフト４０２の露出している部分をカバー４０８で覆う。その後、シャフト４０２に固定カムＡ４０３、回転カムＡ４０４、バネ４０５、回転カムＢ４０６、固定カムＢ４０７を順に通していく。すべて組み立てた後にシャフトをかしめて、シャフトが抜けないように固定する。
【００４５】
次にヒンジユニット１０５とブラケット１０３の結合関係について述べる。ヒンジユニット１０５のヘッド３０１はブラケット１０３に設けられた凹部に配置されると、ブラケットの上部からヒンジユニット１０５を貫通させるように図７のピン４０１でブラケット１０３とヒンジユニット１０５を結合させる。なお、この時にヒンジユニット１０５のヘッド４０１とシャフト４０２にはブラケット１０３とヒンジユニットを固定するためのピンを貫通させるための貫通穴４０９がもうけられている。ヒンジユニット１０５とブラケット１０３の結合によって、ヒンジユニット１０５のヘッド４０１とシャフト４０２はブラケット１０３に結合されているので開閉動作中には固定されており、ヒンジユニットで開閉時に上側ユニット２と共に動作しているのはヘッド４０１、シャフト４０２以外の固定カムＡ４０３、回転カムＡ４０４、バネ４０５、回転カムＢ４０６、固定カムＢ４０７とカバー４０８である。
【００４６】
なお、本実施の形態ではブラケット１０３に固定されたヒンジユニット１０５をブラケット１０３の上部からピンを挿入することでブラケット１０３とヒンジユニット１０５を固定しているが、その他にも下側ユニット３にヒンジユニット固定部を設け、ヒンジユニット１０３を外側から押し当てて、ヒンジユニット１０５とブラケット１０３を圧接させてもよい。
【００４７】
以上説明した実施の形態において、図５のフロントカバー２００のフロントカバー嵌合部２０３が閉じた円筒状であったので、ヒンジユニット１０５を取り付ける場合に図５においてフロントカバー２００をブラケット１０２，１０３を挟んで隣接して配置した後、フロントカバー嵌合部２０３に挿入する必要があった。しかし、フロントカバー嵌合部２０３が断面円弧形状であれば、ヒンジユニット１０５を先にブラケット１０３に固定してからフロントカバー２００をヒンジユニット１０５の上からはめ込むように固定することができる。
【００４８】
また、ヒンジユニット１０５は、フロントカバー２００に限らず、バックカバー２０１に固定されるようにしても良い。いずれにしても、上側ユニット２の開閉に伴ってヒンジユニット１０５が一体となって開閉軸の周りに回転する構成であれば良い。
【００４９】
また、本実施の形態では、水平回転軸が入力キー５側面に対して垂直になるように配置されキー入力面に対して水平な面内において回転自在に設置され、開閉軸部材（ブラケット１０２，１０３）がその水平回転軸１０１に固定されているが、これに限らない。たとえば、水平回転軸１０１が回転せずに台基板１０１に固定され、開閉軸部材であるブラケット１０２、１０３が水平回転軸に固定され、かつ、回転しない水平回転軸を軸として水平面内に回転するように構成されていても良い。
【００５０】
以上の実施の形態では携帯電話機を挙げて説明したが、これに限らず、操作部と表示部が折り畳み可能に分離された構成であって、なおかつ、水平回転軸上に操作入力部などが搭載可能であればＰＤＡなどの携帯情報端末装置に対しても本発明を適応することができ、同様の効果を得ることができる。
【００５１】
【発明の効果】
本発明の携帯情報端末機によれば、上側ユニットのヒンジ部を中心に開いたのちに、水平に回動させることができ、表示部を外側にして折り畳むことができるので、表示部を外側にした状態のままでメールを見る、画像を見る、ゲームをする、着信相手を表示で確認した上で電話を受けるなどの操作が行え、また表示部を外側にしたコンパクトな状態では地図などに活用することができる等、使い勝手が向上する。
【００５２】
また表示部を有した上側ユニットが表示平面方向に回動可能であるので、サイズを大きくすることなく、従来と同等サイズの１つの携帯電話でありながら、縦型・横型の両方のコンテンツに対応でどちらも適切に表示させることができる。
【００５３】
さらに本発明の携帯情報端末機によれば、上側ユニットの表示部が下側ユニットに対してどのような状態にあっても画面を操作できる操作入力部をヒンジ部の上部に向くように設定できるため、ゲームなど画面を複雑に操作しすくなる。
【図面の簡単な説明】
【図１】本発明の携帯情報端末としての折り畳み型携帯情報端末の第１の実施例を示す斜視図である。
【図２】本発明の携帯情報端末としての折り畳み型携帯情報端末の第１の実施例を示す斜視図である。
【図３】本発明の携帯情報端末としての折り畳み型携帯情報端末の第１の実施例を示す斜視図である。
【図４】本発明の携帯情報端末のヒンジ部６の内部を詳細に示した構成図である。
【図５】本発明の携帯情報端末のヒンジ部６と上側ユニット２のフロントカバー２００とバックカバー２０１の関係を示す解体図である。
【図６】本発明の携帯情報端末のヒンジユニット１０５の一部の構成を示す拡大斜視図である。
【図７】本発明の携帯情報端末のヒンジユニット１０５とブラケット１０３が結合された状態を示す斜視図である。
【図８】本発明の携帯情報端末のフロントカバー２００とバックカバー２０１が嵌合された状態を示す斜視図である。
【図９】（ａ）は本発明の携帯情報端末のヒンジユニット１０５の構成を示す分解図である。また（ｂ）は前記ヒンジユニット１０５のカバー４０８の断面図である。
【図１０】従来の携帯電話の一例を示す図
【図１１】従来の携帯電話の一例を示す図
【図１２】従来の携帯電話の一例を示す図
【符号の説明】
１  本体
２  上側ユニット
３  下側ユニット
４  表示部
５  入力キー
６  ヒンジ部
７  操作入力部
１００  台基板
１０１  水平回転軸
１０２  ブラケット
１０３  ブラケット
１０４  台座
１０５  ヒンジユニット
１０６  フレキシブル基板
１０７  ボビン
１０８  ガイド
１１０  フレキシブル基板固定部材
２００  フロントカバー
２０１  バックカバー
２０２  フロントカバー嵌合部
２０３  フロントカバー嵌合部
３０１  ブッシュ
４０１  ヘッド
４０２  シャフト
４０３  固定カムＡ
４０４  回転カムＡ
４０５  バネ
４０６  回転カムＢ
４０７  固定カムＢ
４０８  カバー
４０９  貫通穴
４１０  ピン
【図１】
2004293633.tif 000003
【図２】
2004293633.tif 000004
【図３】
2004293633.tif 000005
【図４】
2004293633.tif 000006
【図５】
2004293633.tif 000007
【図６】
2004293633.tif 000008
【図７】
2004293633.tif 000009
【図８】
2004293633.tif 000010
【図９】
2004293633.tif 000011
【図１０】
2004293633.tif 000012
【図１１】
2004293633.tif 000013
【図１２】
2004293633.tif 000014